(57)【要約】【課題】ボウル部の洗浄性能を維持しつつ、リム吐水口を隠蔽し易く、美観性に優れた水洗大便器を提供する。【解決手段】本発明の水洗大便器１は、ボウル形状の汚物受け面４の上縁４aに形成される棚部６と、この棚部の外縁６aから立ち上がるリム内壁面８aを形成するリム部８と、を備えたボウル部10と、ボウル部内に洗浄水を吐水するリム吐水部14,16,22と、を有し、ボウル部は、このボウル部を前後方向に二等分する左右方向に延びる中心軸線Ｘに対して前方側及び後方側にそれぞれ形成される前方側領域Ｆ及び後方側領域Ｂをそれぞれ備えており、リム吐水部は、ボウル部のリム部に設けられて洗浄水を吐水するリム吐水口をリム部の全周において１つ形成し、リム吐水口は前方側領域の左右いずれかのリム部に設けられて洗浄水を後方に吐水するものであり、リム内壁面におけるリム吐水口よりも上側の領域Ｕ１は、ボウル部の全周に亘って連続的な帯状に形成されている。【選択図】図２
2018162667.tif 000002
【特許請求の範囲】
【請求項１】
洗浄水源から供給される洗浄水によって洗浄されて汚物を排出する水洗大便器であって、
ボウル形状の汚物受け面と、この汚物受け面の上縁に形成される棚部と、この棚部の外縁から立ち上がるリム内壁面を形成するリム部と、を備えたボウル部と、
上記ボウル部内に洗浄水を吐水するリム吐水部と、を有し、
上記ボウル部は、このボウル部を前後方向に二等分する左右方向に延びる中心軸線に対して前方側及び後方側にそれぞれ形成される前方側領域及び後方側領域をそれぞれ備えており、
上記リム吐水部は、上記ボウル部の上記リム部に設けられて洗浄水を吐水するリム吐水口を上記リム部の全周において１つ形成し、上記リム吐水口は上記前方側領域の左右いずれかの上記リム部に設けられて洗浄水を後方に吐水するものであり、
上記リム内壁面における上記リム吐水口よりも上側の領域は、上記ボウル部の全周に亘って連続的な帯状に形成されていることを特徴とする水洗大便器。
【請求項２】
上記リム吐水口の開口端面は、上記左右方向に延びる中心軸線と平行に設定されている請求項１記載の水洗大便器。
【請求項３】
上記リム吐水部は、上記リム吐水口の下流側に通水路を形成し、この通水路の流路断面は、上記棚部の棚面、この棚面の外縁から立ち上がる上記リム内壁面、及び、このリム内壁面の上方部分に形成されるオーバーハング部分のそれぞれにより形成され、
上記オーバーハング部分は、その下端から斜め上方に且つ上記ボウル部の内側に向かって傾斜した傾斜面を形成している請求項１又は２に記載の水洗大便器。
【請求項４】
上記リム吐水口は、上記ボウル部の前端から上記リム吐水口までの前後方向の距離が上記ボウル部の前端から後端までの距離の２０％〜４０％になるように上記ボウル部の前方側領域の左右いずれかの上記リム部に設けられている請求項１乃至３の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する水洗大便器として、例えば、特許文献１に記載されているように、ボウル部内に洗浄水を吐水するリム吐水口がボウル部内の前端付近に配置されているものや、特許文献２に記載されているように、リム吐水口がボウル部内の後方に配置されているが知られている。
或いは、例えば、特許文献３に記載されているように、リム吐水口がボウル部内の側方且つ前後方向の中間位置若しくはそれよりも後方に配置されて、ボウル部内の後方へ向けて吐水するものも知られている。
【先行技術文献】
【特許文献】
【０００３】
【特許文献１】特開２００７−３１４９７５号公報
【特許文献２】特開２０１６−４１８８０号公報
【特許文献３】特許第５５９２６１７号公報
【発明の概要】
【発明が解決しようとする課題】
【０００４】
しかしながら、上述した特許文献１〜３に記載されている従来の水洗大便器おいては、リム吐水口の周辺形状が複雑になり易いため、リム吐水口の周辺が影となる等、意匠性の低下を招いている。
特に、上述した特許文献１に記載されている従来の水洗大便器では、リム吐水口が配置されているボウル部内の前方領域が複雑な形状になるため、便座に腰掛けて両脚をやや開いた使用者の視野に入ってしまい、意匠性の低下を招くという問題がある。
また、上述した特許文献２、３に記載されている従来の水洗大便器では、リム吐水口が配置されているボウル部内の後方領域が複雑な形状になるため、便器本体の正面側に立つかしゃがんだ使用者の視野に入ってしまい、意匠性の低下を招くという問題がある。
さらに、上述した特許文献１〜３に記載されている従来の水洗大便器においては、リム吐水口の周辺形状の意匠性のみを重視し過ぎると、リム吐水口から吐水された洗浄水によるボウル部の洗浄性能を維持することが難しくなり、洗浄性能と意匠性をいかに両立させるかが要請された課題となっている。
【０００５】
そこで、本発明は、上述した従来技術の問題や課題を解決するためになされたものであり、ボウル部の洗浄性能を維持しつつ、リム吐水口を隠蔽し易く、美観性に優れた水洗大便器を提供することを目的としている。
【課題を解決するための手段】
【０００６】
上述した課題を解決するために、本発明は、洗浄水源から供給される洗浄水によって洗浄されて汚物を排出する水洗大便器であって、ボウル形状の汚物受け面と、この汚物受け面の上縁に形成される棚部と、この棚部の外縁から立ち上がるリム内壁面を形成するリム部と、を備えたボウル部と、上記ボウル部内に洗浄水を吐水するリム吐水部と、を有し、上記ボウル部は、このボウル部を前後方向に二等分する左右方向に延びる中心軸線に対して前方側及び後方側にそれぞれ形成される前方側領域及び後方側領域をそれぞれ備えており、上記リム吐水部は、上記ボウル部の上記リム部に設けられて洗浄水を吐水するリム吐水口を上記リム部の全周において１つ形成し、上記リム吐水口は上記前方側領域の左右いずれかの上記リム部に設けられて洗浄水を後方に吐水するものであり、上記リム内壁面における上記リム吐水口よりも上側の領域は、上記ボウル部の全周に亘って連続的な帯状に形成されていることを特徴としている。
このように構成された本発明においては、リム吐水部が、ボウル部のリム部に設けられて洗浄水を吐水するリム吐水口をリム部の全周において１つ形成し、このリム吐水口が、前方側領域の左右いずれかのリム部に設けられて洗浄水を後方に吐水するものであるため、リム吐水口から後方に吐水された洗浄水によるボウル部の洗浄性能を維持しつつ、ボウル部よりも前方且つ上方の使用者からリム吐水口を見え難くすることができる。
また、リム内壁面における単一のリム吐水口よりも上側の領域がボウル部の全周に亘って連続的な帯状に形成されていることにより、リム吐水口を隠蔽し易くすることができるため、美観性に優れた水洗大便器を提供することができる。
さらに、ボウル部の前端にリム吐水口が形成される場合に比べ、ボウル部の前端が複雑な形状になりにくく、美観性を向上させることができる。
【０００７】
本発明において、好ましくは、上記リム吐水口の開口端面は、上記左右方向に延びる中心軸線と平行に設定されている。
通常、リム吐水口の隠蔽性を高める程、清掃時におけるリム吐水口の視認性が低下する。一方、本発明においては、リム吐水口の開口端面をボウル部の左右方向に延びる中心軸線と平行に設定したことにより、ボウル部よりも前方且つ上方の使用者側から見たリム吐水口の隠蔽性を保ちつつ、清掃時にしゃがむ等の姿勢で目線をボウル部付近まで低くし、左右いずれかの内のリム吐水口が設けられていない側から見た際には、リム吐水口が視認し易くなるため、清掃具をリム吐水口に当てやすくなる等、清掃性を向上させることができる。
したがって、リム吐水口の隠蔽性と清掃性とを両立させることができる。
【０００８】
本発明において、好ましくは、上記リム吐水部は、上記リム吐水口の下流側に通水路を形成し、この通水路の流路断面は、上記棚部の棚面、この棚面の外縁から立ち上がる上記リム内壁面、及び、このリム内壁面の上方部分に形成されるオーバーハング部分のそれぞれにより形成され、上記オーバーハング部分は、その下端から斜め上方に且つ上記ボウル部の内側に向かって傾斜した傾斜面を形成している。
このように構成された本発明においては、リム吐水部がリム吐水口の下流側に通水路を形成し、この通水路の流路断面が、棚部の棚面、この棚面の外縁から立ち上がるリム内壁面、及び、このリム内壁面の上方部分に形成されるオーバーハング部分のそれぞれにより形成され、オーバーハング部分が、その下端から斜め上方に且つボウル部の内側に向かって傾斜した傾斜面を形成しているため、ボウル部よりも前方且つ上方の使用者側から見たリム吐水口の隠蔽性を保つことができる。さらに、清掃時にしゃがむ等の姿勢で目線をボウル部付近まで低くした際には、リム吐水口がより視認し易くなるため、清掃具をリム吐水口に当てやすくなる等、清掃性をより向上させることができる。
したがって、リム吐水口の隠蔽性と清掃性とを両立させることができる。
【０００９】
本発明において、好ましくは、上記リム吐水口は、上記ボウル部の前端から上記リム吐水口までの前後方向の距離が上記ボウル部の前端から後端までの距離の２０％〜４０％になるように上記ボウル部の前方側領域の左右いずれかの上記リム部に設けられている。
このように構成された本発明においては、リム吐水口が、ボウル部の前端からリム吐水口までの前後方向の距離がボウル部の前端から後端までの距離の２０％〜４０％になるようにボウル部の前方側領域の左右いずれかのリム部に設けられていることにより、リム吐水口から後方に吐水された洗浄水によるボウル部の洗浄性能を維持しつつ、ボウル部よりも前方且つ上方の使用者側から見て、リム吐水口を隠蔽し易くすることができ、美観性に優れた水洗大便器を提供することができる。
また、清掃時にしゃがむ等の姿勢で目線をボウル部付近まで低くした際には、リム吐水口が視認し易くなるため、清掃具をリム吐水口に当てやすくなる等、清掃性を向上させることができる。
したがって、リム吐水口の隠蔽性と清掃性とを両立させることができる。
【発明の効果】
【００１０】
本発明の水洗大便器によれば、ボウル部の洗浄性能を維持しつつ、リム吐水口を隠蔽し易く、美観性に優れたものにすることができる。
【図面の簡単な説明】
【００１１】
【図１】本発明の一実施形態による水洗大便器の便器本体の中央側面断面図である。
【図２】本発明の一実施形態による水洗大便器の便器本体の平面図である。
【図３】本発明の一実施形態による水洗大便器の便器本体について斜め後方から見た斜視図である。
【図４】図２のＩＶ−ＩＶ線に沿った断面図である。
【発明を実施するための形態】
【００１２】
つぎに、図１〜図４を参照して、本発明の一実施形態による水洗大便器について説明する。
まず、図１は、本発明の一実施形態による水洗大便器の便器本体の中央側面断面図であり、図２は、本発明の一実施形態による水洗大便器の便器本体の平面図である。
また、図３は、本発明の一実施形態による水洗大便器の便器本体について斜め後方から見た斜視図であり、図４は、図２のＩＶ−ＩＶ線に沿った断面図である。
【００１３】
まず、図１〜図３に示すように、本発明の一実施形態による水洗大便器１は、陶器製の便器本体２を備えている。また、この便器本体２については、陶器製以外の樹脂製等であってもよい。
ここで、図１〜図３に示す本実施形態の水洗大便器１においては、便器本体２の上面に便座及び便蓋が設けられていると共に、その後方側には、使用者の局部を洗浄する衛生洗浄部や便器本体２への給水機能に関与する給水系機能部等の機能部等が設けられているが、これらについては図示せず、説明を省略する。
【００１４】
また、図１及び図２に示すように、便器本体２は、ボウル形状の汚物受け面４と、この汚物受け面４の上縁４ａに形成される棚部６と、この棚部６の外縁６ａから立ち上がるように形成されたリム部８とからなるボウル部１０を備えている。
さらに、図１に示すように、便器本体２は、ボウル部１０の下方に入口部１２ａが接続されて、ボウル部１０内の汚物を排出する排水路である排水トラップ管路１２を備えている。
【００１５】
ここで、図１及び図２に示す本発明の一実施形態による水洗大便器１においては、便器本体２のボウル部１０の平面視において、ボウル部１０を前後方向に二等分するように水平左右方向に延びる中心軸線を「Ｘ」で示し、ボウル部１０を左右方向に二等分するように水平前後方向に延びる中心軸線を「Ｙ」で示し、ボウル部１０の中心Ｏを通る鉛直方向に延びる中心軸線を「Ｚ」で示している。
また、図２に示すように、水洗大便器１の前後左右の方向については、「前」、「後」、「左」、「右」でそれぞれ示している。
そして、図１及び図２に示すように、水洗大便器１のボウル部１０における中心Ｏ、水平左右方向の中心軸線Ｘ、及び鉛直方向の中心軸線Ｚに対して、前方側、後方側のそれぞれの領域について、「前方側領域Ｆ」、「後方側領域Ｂ」とそれぞれ定義している。
さらに、図２に示すように、水洗大便器１のボウル部１０における中心Ｏ、水平前後方向の中心軸線Ｙに対して、前方から見て左側、右側のそれぞれの領域について、「左側領域Ｌ」、「右側領域Ｒ」とそれぞれ定義している。
【００１６】
つぎに、図１〜図３に示すように、ボウル部１０の前方側領域Ｆ内の右側領域Ｒのリム部８の内部には、リム吐水部の一部として機能するリム通水路１４が形成されている。
また、このリム通水路１４の下流端には、ボウル部１０内に洗浄水を後方に吐水して旋回流を形成するリム吐水部の一部として機能する単一のリム吐水口１６が形成されている。
すなわち、リム吐水部は、ボウル部１０のリム部８に設けられて洗浄水を吐水するリム吐水口１６をリム部８の全周において１つ形成し、このリム吐水口１６は、ボウル部１０の前方側領域Ｆ内の右側領域Ｒのリム部８に設けられて洗浄水を後方に吐水するものである。
さらに、図２に示すように、リム通水路１４の上流側は、導水管１８に接続されている。この導水管１８の上流側は、洗浄水源である水道（図示せず）に直結されており、この水道の給水圧力を利用して、導水管１８からリム通水路１４内に供給された洗浄水は、リム通水路１４内で前方へ導かれ、その後、内側且つ後方側に屈曲し、下流側のリム吐水口１６まで導かれるようになっている。
そして、リム吐水口１６に導かれた洗浄水は、後方に向けて吐水（リム吐水）され、ボウル部１０内を旋回することにより、ボウル部１０内に旋回流が形成されるようになっている。
なお、本実施形態の水洗大便器１においては、リム通水路１４がボウル部１０の右側領域Ｒのリム部８の内部に設けられていると共に、単一のリム吐水口１６がボウル部１０の前方側領域Ｆ且つ右側領域Ｒのリム部８の内周側に形成された形態について説明するが、このような形態に限られず、他の形態として、リム通水路１４がボウル部１０の左側領域Ｌのリム部８の内部に設けられていると共に、単一のリム吐水口１６がボウル部１０の前方側領域Ｆ且つ左側領域Ｌのリム部８の内周側に設けられて、リム吐水口１６から後方に向けて吐水（リム吐水）が行われるような形態であってもよい。
【００１７】
さらに、図１に示すように、ボウル部１０の底部には、排水トラップ管路１２の入口部１２ａに差し向けられるようにジェット吐水口２０が形成されており、このジェット吐水口２０からも給水系機能部（図示せず）からの吐水（ジェット吐水）が行われるようになっている。
なお、本実施形態による水洗大便器１においては、リム吐水口１６によるリム吐水について水道の給水圧力を利用して行い、ジェット吐水口２０によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。また、ジェット吐水口２０によるジェット吐水について省略した形態であってもよい。
【００１８】
つぎに、図１〜図４を参照して、本発明の一実施形態による水洗大便器１のボウル部１０のリム吐水口１６及びリム部８の詳細について説明する。
まず、図２に示すように、ボウル部１０の前方側領域Ｆ且つ右側領域Ｒのリム部８の内周側に形成された単一のリム吐水口１６は、ボウル部１０内の前端１０ａからリム吐水口１６までの前後方向の距離Ｙ１がボウル部１０内の前端１０ａから後端１０ｂまでの距離Ｙ２の３０％の位置に設けられている。
また、図２に示すように、リム吐水口１６は、その開口端面Ａ１がボウル部１０の左右方向に延びる中心軸線Ｘと平行になるように形成されている。
これらにより、ボウル部１０よりも前方且つ上方の使用者側から見たリム吐水口１６の隠蔽性を保つことができるようになっている。また、清掃時にしゃがむ等の姿勢で目線をボウル部１０付近まで低くした際には、リム吐水口１６が視認し易くなるため、清掃具をリム吐水口１６に当てやすくなる等、清掃性を向上させることができるようになっている。
なお、ボウル部１０内の前端１０ａからリム吐水口１６までの前後方向の距離Ｙ１については、ボウル部１０内の前端１０ａから後端１０ｂまでの距離Ｙ２の２０％〜４０％になるように設定されていることが好ましく、２５％〜３５％になるように設定されていることが最も好ましい。
【００１９】
つぎに、図４は、図２のＩＶ−ＩＶ線に沿った断面図である。
図１〜図４に示すように、リム吐水口１６の下流側には、リム吐水部の一部としても機能する通水路２２が形成されている。
また、図４に示すように、通水路２２の流路断面Ａ２については、棚部６の棚面６ｂ、この棚面６ｂの外縁６ａ付近から立ち上がるリム内壁面８ａ、及び、このリム内壁面８ａの上方部分に形成されるオーバーハング部分８ｂのそれぞれにより形成されている。
さらに、オーバーハング部分８ｂは、その下端８ｃから斜め上方に且つボウル部１０の内側に向かって傾斜した傾斜面Ｓ１を形成している。
【００２０】
また、図１〜図４に示すように、リム内壁面８ａにおけるリム吐水口１６よりも上側の領域Ｕ１は、ボウル部１０の全周に亘って連続的な帯状に形成されている。
なお、ここでいう「帯状」とは、例えば、リム吐水口１６の上下方向の大きさよりも広い範囲で平坦に広がった領域である。
【００２１】
つぎに、上述した本発明の一実施形態による水洗大便器１における作用について説明する。
まず、本発明の一実施形態による水洗大便器１によれば、リム吐水部が、ボウル部１０のリム部８に設けられて洗浄水を吐水するリム吐水口１６をリム部８の全周において１つ形成し、このリム吐水口１６は前方側領域Ｆ内の右側領域Ｒのリム部８に設けられて洗浄水を後方に吐水するものであるため、リム吐水口１６から後方に吐水された洗浄水によるボウル部１０の洗浄性能を維持しつつ、ボウル部１０よりも前方且つ上方の使用者や便座（図示せず）に座った状態の使用者からリム吐水口１６を見え難くすることができる。
また、リム内壁面８ａにおける単一のリム吐水口１６よりも上側の領域Ｕ１がボウル部１０の全周に亘って連続的な帯状に形成されていることにより、リム吐水口１６を隠蔽し易くすることができるため、美観性に優れた水洗大便器１を提供することができる。
さらに、ボウル部１０の前端１０ａにリム吐水口１６が形成される場合に比べ、ボウル部１０の前端１０ａが複雑な形状になりにくく、美観性を向上させることができる。
【００２２】
つぎに、通常の設計では、リム吐水口の隠蔽性を高める程、清掃時におけるリム吐水口の視認性が低下する。しかしながら、本実施形態による水洗大便器１によれば、リム吐水口１６の開口端面Ａ１をボウル部の左右方向に延びる中心軸線と平行に設定したことにより、ボウル部よりも前方且つ上方の使用者側から見たリム吐水口１６の隠蔽性を保ちつつ、清掃時にしゃがむ等の姿勢で目線をボウル部１０付近まで低くし、左右いずれかの内のリム吐水口１６が設けられていない側から見た際には、リム吐水口１６が視認し易くなるため、清掃具をリム吐水口１６に当てやすくなる等、清掃性を向上させることができる。
したがって、例えば、開口端面がリム吐水口から吐水される洗浄水の吐水方向と直交する場合（開口端面がボウル部の外側から中心側へ向けて後方に傾いている場合）、リム吐水口の隠蔽性は高くなるが、清掃時にボウル部を後方側から覗き込まなければリム吐水口を視認しにくく、清掃性が低下するのに比べ、本実施形態においては、リム吐水口１６の隠蔽性と清掃性とを両立させることができる。
【００２３】
また、本実施形態による水洗大便器１によれば、リム吐水口１６の下流側にリム吐水部の一部としても機能する通水路２２が形成されており、この通水路２２の流路断面Ａ２が、棚部６の棚面６ｂ、この棚面６ｂの外縁６ａ付近から立ち上がるリム内壁面８ａ、及び、このリム内壁面８ａの上方部分に形成されるオーバーハング部分８ｂのそれぞれにより形成されている。さらに、このオーバーハング部分８ｂは、その下端８ｃから斜め上方に且つボウル部１０の内側に向かって傾斜した傾斜面Ｓ１を形成しているため、ボウル部１０よりも前方且つ上方の使用者側から見たリム吐水口１６の隠蔽性を保つことができる。
さらに、清掃時にしゃがむ等の姿勢で目線をボウル部１０付近まで低くした際には、リム吐水口１６がより視認し易くなるため、清掃具をリム吐水口１６に当てやすくなる等、清掃性をより向上させることができる。
したがって、リム吐水口１６の隠蔽性と清掃性とを両立させることができる。
【００２４】
さらに、本実施形態による水洗大便器１によれば、リム吐水口１６が、ボウル部１０の前端１０ａからリム吐水口１６までの前後方向の距離Ｙ１がボウル部１０の前端１０ａから後端１０ｂまでの距離Ｙ２の２０％〜４０％になるようにボウル部１０の前方側領域Ｆ且つ右側領域Ｒのリム部８に設けられていることにより、リム吐水口１６から後方に吐水された洗浄水によるボウル部１０の洗浄性能を維持しつつ、ボウル部１０よりも前方且つ上方の使用者側から見て、リム吐水口１６を隠蔽し易くすることができ、美観性に優れた水洗大便器を提供することができる。
また、清掃時にしゃがむ等の姿勢で目線をボウル部１０付近まで低くした際には、リム吐水口１６が視認し易くなるため、清掃具をリム吐水口１６に当てやすくなる等、清掃性を向上させることができる。
したがって、リム吐水口１６の隠蔽性と清掃性とを両立させることができる。
【符号の説明】
【００２５】
１        水洗大便器
２        便器本体
４        汚物受け面
４ａ      汚物受け面の上縁
６        棚部
６ａ      棚部（棚面）の外縁
６ｂ      棚面
８        リム部
８ａ      リム内壁面
８ｂ      オーバーハング部分
８ｃ      オーバーハング部分の下端
１０        ボウル部
１０ａ      ボウル部の前端
１０ｂ      ボウル部の後端
１２        排水トラップ管路
１２ａ      入口部
１４        リム通水路（リム吐水部）
１６        リム吐水口（リム吐水部）
１８        導水管
２０        ジェット吐水口
２２        通水路（リム吐水部）
Ａ１      リム吐水口の開口端面
Ａ２      リム吐水口の下流側の通水路の流路断面
Ｂ        ボウル部の後方側領域
Ｌ        ボウル部の左側領域
Ｆ        ボウル部の前方側領域
Ｏ        ボウル部の中心
Ｒ        ボウル部の右側領域
Ｓ１      オーバーハング部分の傾斜面
Ｕ１      リム内壁面におけるリム吐水口よりも上側の領域
Ｘ        ボウル部の水平左右方向の中心軸線
Ｙ        ボウル部の水平前後方向の中心軸線
Ｙ１      ボウル部内の前端からリム吐水口までの前後方向の距離
Ｙ２      ボウル部内の前端から後端までの距離
Ｚ        ボウル部の中心を通る鉛直方向の中心軸線
【図１】
2018162667.tif 000003
【図２】
2018162667.tif 000004
【図３】
2018162667.tif 000005
【図４】
2018162667.tif 000006